(57)【要約】【課題】セードが固定された状態においてカバーが撓むことがなくホルダの締付けが規制される照明器具を提供する。【解決手段】天井面に取り付けられる照明器具１において、ソケット３が挿通されるセード５は、ソケット３の外周面に形成されたねじ溝３０にホルダ４を螺合させることによって保持される。セード５と取付ベース２との隙間を覆うカバー７は、下端から天井面に沿って延長される押さえ板７１を有する。ホルダ４を締付けていくとセード５が上方に押し上げられ、セード５は押さえ板７１の下面に当接する位置で固定される。取付ベース２には押さえ板７１の上面に当接しセード５との間に押さえ板７１を挟持する規制突起２４が突設されており、カバー７が撓むことを防止してホルダ４の締付けを規制している。【選択図】図１
2005243310.tif 000002
【特許請求の範囲】
【請求項１】
施工面に固定されかつ施工面から離れる向きに突出し外周面にねじ溝が形成されたセード保持部を有する取付ベースと、セード保持部が挿通される開口孔を有し取付ベースに保持されるランプを包囲するセードと、セード保持部のねじ溝に螺合しセードの開口孔の周部にセードの内側から当接するホルダと、セードと取付ベースとの間に配置され取付ベースを覆うとともにセードと取付ベースとの隙間を覆うカバーとを備え、カバーはセード保持部の周部において施工面に沿って延長され厚み方向の一面にセードが当接する押さえ板を有し、押さえ板の厚み方向の他面に当接しセードとの間に押さえ板を挟持する規制突起が取付ベースに突設されていることを特徴とする照明器具。
【請求項２】
前記押さえ板は前記セード保持部が挿通される挿通孔を有し、前記規制突起は挿通孔の周縁に沿ってセード保持部を囲むように複数個設けられ、少なくとも１個の規制突起は施工面に沿う断面が挿通孔の周縁に沿う円弧の一部となる形状に形成されていることを特徴とする請求項１記載の照明器具。
【請求項３】
前記押さえ板は前記挿通孔の全周から前記セード保持部の突出方向に沿って施工面側に延設されたガイドリブを有し、規制突起はガイドリブとの距離を先端縁に向かって広げるガイド面を先端部に備えていることを特徴とする請求項２記載の照明器具。
【請求項４】
前記取付ベースにおける施工面との対向面に端子台を取り付けるための取付ねじが螺合する円筒状の下穴ボスを有し、下穴ボスは、取付ベースにおける施工面との対向面に開口するとともに取付ベースにおける前記カバーに覆われた部位から取付ねじが挿入される向きに突出し前記規制突起として用いられることを特徴とする請求項１ないし請求項３のいずれか１項に記載の照明器具。
【請求項５】
前記下穴ボスは、他の規制突起との間にランプに電気的に接続される電線を挟持可能な隙間を有することを特徴とする請求項４記載の照明器具。
【発明の詳細な説明】
【技術分野】
【０００１】
本発明は、施工面に固定される取付ベースとセードとの隙間をカバーで覆う照明器具に関するものである。
【背景技術】
【０００２】
従来から、セードを備え天井面に取り付けられる照明器具として、図５に示すように、天井面Ａに取り付けられた埋込ローゼット９に取り付けられるソケット３と、ソケット３の外周面に形成されたねじ溝３０に螺合するナット状のホルダ４とでセード５を保持する構造のものが知られている。ソケット３の上端部には、下端面が天井面Ａに沿って形成されたベース台３５が両側方に突出するように形成される。セード５にはソケット３が挿通される開口孔５２が貫設されており、セード５の開口孔５２にソケット３が挿通された状態でホルダ４をソケット３のねじ溝３０に対して螺合することにより、セード５の開口孔５２の周部に下方からホルダ４を当接させてセード５を保持している。
【０００３】
この種の照明器具１では、セード５と天井面Ａとの間から埋込ローゼット９およびソケット３が露出して外観を損なうことがないように、カバー７によってセード５と天井面Ａとの間を覆っている。カバー７は、ソケット３が挿通される挿通孔７２が貫設されており、挿通孔７２の周部から天井面Ａに沿って延長されたベース当接板７５と、ベース当接板７５の外周縁から下方に延長された連結板７６と、連結板７６の下端縁から天井面Ａに沿ってソケット３と離れる向きに延長されたセード当接板７７とを有し、セード当接板７７の下面をセード５に当接させた状態でベース当接板７５の上面をベース台３５に対向させて配置される。ここで、ホルダ４を締付けると、ホルダ４が上方に移動することによって、カバー７はセード５とともに上方に押し上げられベース当接板７５の上面がベース台３５に当接する位置でベース台３５とセード５との間に挟まれて固定される。この状態で、セード５はカバー７のセード当接板７７とホルダ４との間に挟まれて固定される（たとえば特許文献１参照）。
【特許文献１】特開平８−１６１９２２号公報（第３頁、図１）
【発明の開示】
【発明が解決しようとする課題】
【０００４】
しかし、上述した照明器具１においては、ホルダ４を締付けてセード５が固定された状態になると、ホルダ４を締付けるのに要する力が大きくなるものの、カバー７が可撓性を有するからホルダ４の締付けが規制されることはなく、セード５が固定された状態からホルダ４がさらに締付けられてしまうことがある。結果的に、ホルダ４を締付け過ぎることによってカバー７が変形したり破損したりしてしまう問題が生じる。
【０００５】
本発明は上記事由に鑑みて為されたものであって、セードが固定された状態においてカバーが撓むことがなくホルダの締付けが規制される照明器具を提供することを目的とする。
【課題を解決するための手段】
【０００６】
請求項１の発明では、施工面に固定されかつ施工面から離れる向きに突出し外周面にねじ溝が形成されたセード保持部を有する取付ベースと、セード保持部が挿通される開口孔を有し取付ベースに保持されるランプを包囲するセードと、セード保持部のねじ溝に螺合しセードの開口孔の周部にセードの内側から当接するホルダと、セードと取付ベースとの間に配置され取付ベースを覆うとともにセードと取付ベースとの隙間を覆うカバーとを備え、カバーはセード保持部の周部において施工面に沿って延長され厚み方向の一面にセードが当接する押さえ板を有し、押さえ板の厚み方向の他面に当接しセードとの間に押さえ板を挟持する規制突起が取付ベースに突設されていることを特徴とする。
【０００７】
この構成によれば、カバーの押さえ板がセードと規制突起との間に挟持されている状態でセードは固定されており、この状態で押さえ板に規制突起が当接することによって押さえ板の施工面に近づく向きの移動が阻止されている。したがって、セードが固定された状態においては、押さえ板は、セード側から押されたとしても施工面に近づく向きの移動が阻止されているから、カバーが撓むことはなく、ホルダをさらに締付けることが阻止される。すなわち、セードが固定された状態でホルダの締付けを規制することができる。
【０００８】
請求項２の発明では、請求項１の発明において、前記押さえ板は前記セード保持部が挿通される挿通孔を有し、前記規制突起は挿通孔の周縁に沿ってセード保持部を囲むように複数個設けられ、少なくとも１個の規制突起は施工面に沿う断面が挿通孔の周縁に沿う円弧の一部となる形状に形成されていることを特徴とする。
【０００９】
この構成によれば、規制突起はセード保持部を囲むように複数個設けられているから、ホルダの締付けの力を複数個の規制突起に分散することができ、規制突起が１個の場合に比べて個々の規制突起の負担が小さくなる。さらに、少なくとも１個の規制突起は、施工面に沿う断面が挿通孔の周縁に沿う円弧の一部となる形状に形成されるので、セードとの間に押さえ板をぐらつくことなく挟持できる。
【００１０】
請求項３の発明では、請求項２の発明において、前記押さえ板は前記挿通孔の全周から前記セード保持部の突出方向に沿って施工面側に延設されたガイドリブを有し、規制突起はガイドリブとの距離を先端縁に向かって広げるガイド面を先端部に備えていることを特徴とする。
【００１１】
この構成によれば、規制突起に囲まれた領域にガイドリブを挿入するようにしてカバーを取付ベースに取り付けることによって、取付ベースの取付ベースに対するカバーの位置合わせが容易になる。しかも、ガイド面を備えているから、ガイドリブと規制突起との先端部同士が突き合わされても、カバーを取付ベースに向かって押すだけでガイドリブを規制突起に囲まれた領域に案内することができ、ガイドリブを規制突起に囲まれた領域に挿入し易い。
【００１２】
請求項４の発明は、請求項１ないし請求項３のいずれかの発明において、前記取付ベースにおける施工面との対向面に端子台を取り付けるための取付ねじが螺合する円筒状の下穴ボスを有し、下穴ボスが、取付ベースにおける施工面との対向面に開口するとともに取付ベースにおける前記カバーに覆われた部位から取付ねじが挿入される向きに突出し前記規制突起として用いられることを特徴とする。
【００１３】
この構成によれば、下穴ボスを規制突起として兼用することによって、新設の規制突起を設けなくとも請求項１と同様の効果を実現することができる。
【００１４】
請求項５の発明は、請求項４の発明において、前記下穴ボスが、他の規制突起との間にランプに電気的に接続される電線を挟持可能な隙間を有することを特徴とする。
【００１５】
この構成によれば、電線を挟持するための部材を別に設けることなく、下穴ボスと他の規制突起とで電線を挟持することができる。
【発明の効果】
【００１６】
本発明は、押さえ板がセードと規制突起とに挟持されている状態でカバーは固定されており、この状態で押さえ板に規制突起が当接することによって押さえ板の施工面に近づく向きの移動が阻止されている。したがって、カバーが固定された状態においては、押さえ板は、セード側から押されたとしても施工面に近づく向きの移動が阻止されているから、カバーが撓むことはなく、ホルダをさらに締付けることが阻止される。すなわち、カバーが固定された状態でホルダの締付けを規制することができるという利点がある。
【発明を実施するための最良の形態】
【００１７】
（実施形態１）
本実施形態の照明器具１は、図１に示すように、施工面としての天井面に取り付けられるものであって、天井面に固定された取付ベース２の下方に固定されるソケット３と、ソケット３の外周面に形成されたねじ溝３０に螺合するナット状のホルダ４とでセード５を保持している。
【００１８】
取付ベース２は、天井面に沿う断面の外形が円形状に形成された上面開口の円盤状（図４参照）であって、下端部において上方に凹むように複数個（図４では４個）凹設された固定凹部２０のそれぞれの底壁に透孔２１が貫設されており、透孔２１に下方から挿通されるベース固定ねじ２２によって、上端を天井面に当接させて天井面に取り付けられる。固定凹部２０は、取付ベース２の下面の中央部を囲むように取付ベース２の下面における中心を中心とする仮想円周上に配置される。取付ベース２の下面の中央部にはソケット３がソケット固定ねじ３１によって取り付けられている。
【００１９】
ソケット３は、上端部から天井面に沿って両側方に突出する固定突起３２を有し、固定突起３２に貫設された固定孔３３に下方からソケット固定ねじ３１が挿通されることにより取付ベース２に固定されている。ソケット３は、下方に開口するランプ保持穴３４が形成されることによって下端部にランプ６を保持可能とし、かつ天井面に沿う断面の外周が円弧状に形成されるとともに外周面にねじ溝３０が形成されることによってセード保持部として兼用される。
【００２０】
セード５は、ランプ６を包囲するセード本体５０と、セード本体５０の上端からソケット３に向かって延長された保持板５１とを有する。保持板５１は、天井面に沿って延長されておりソケット３が挿通される開口孔５２が貫設されている。図に示すセード５では、保持板５１における開口孔５２の周縁が上方に延長された形状に形成されるとともに、セード本体５０が天井面に沿う仮想平面上でセード本体５０によって囲まれる領域を下方に向かって広げる形状に形成されている。
【００２１】
ホルダ４は、円筒状で内周面にねじ溝が形成されたものであって、ソケット３のねじ溝３０に対して下方から螺合する。ホルダ４の上端部には全周から天井面に沿ってソケット３と離れる向きに延長された保持輪４０が形成されており、ホルダ４がソケット３のねじ溝３０に螺合した状態でセード５の保持板５１が保持輪４０上に載置されてセード５が保持される。ホルダ４を締付けると、ホルダ４はソケット３の外周面に沿って回転しつつ上方に移動してセード５を上方に押し上げる。
【００２２】
ここで、セード５と取付ベース２との間から固定凹部２０等を含む取付ベース２の下面が露出して外観を損なうことを防止するために、セード５と取付ベース２との間には取付ベース２の下面を覆うとともにセード５と取付ベース２との隙間を覆うカバー７が取り付けられている。
【００２３】
カバー７は、セード５の保持板５１の周部と取付ベース２の下面の周部との間を埋めるように設けられたカバー本体７０によって取付ベース２の下面およびセード５と取付ベース２との隙間を覆っており、カバー本体７０の下端からソケット３に向かって延長された押さえ板７１を有する。押さえ板７１は、天井面に沿って延長されておりソケット３が挿通される挿通孔７２が貫設されている。本実施形態では押さえ板７１の外径が取付ベース２の外径より小さく形成されており、天井面に沿う仮想平面上でカバー本体７０によって囲まれる領域を上方に向かって広げる形状にカバー本体７０を形成してある。カバー本体７０の上端部には取付ベース２側の面から取付ベース２に向かって突出し先端部が天井面に沿って延長された係止爪７３が複数個（図では２個）形成されており、係止爪７３を取付ベース２における係止爪７３に対応する部位に貫設された係止孔２３に係止させることによってカバー７が取付ベース２に取り付けられる。
【００２４】
上述した構成によれば、セード５の開口孔５２にソケット３を挿通してホルダ４を締付けると、セード５は、保持板５１の上面をカバー７の押さえ板７１の下面に対向させながら保持板５１の下面をホルダ４の保持輪４０の上面に当接させた状態で上方に押し上げられ、保持板５１の上面を押さえ板７１の下面に当接させる位置で保持板５１が押さえ板７１とホルダ４の保持輪４０との間に挟まれて固定される。
【００２５】
ところで、本実施形態の照明器具１では、カバー７の撓みを阻止することによって、セード５が固定された状態になるとホルダ４の締付けを規制するように、カバー７の押さえ板７１に上方から当接し押さえ板７１の上方への移動を阻止する規制突起２４が取付ベース２に突設された構成を採用している。
【００２６】
規制突起２４は、取付ベース２の下面においてカバー７の押さえ板７１との対向部位から下方にソケット３の長手方向に沿って突出し、突出寸法が取付ベース２の下面と押さえ板７１の上面との間の寸法と等しく形成されており、取付ベース２にカバー７を取り付けた状態で規制突起２４の下端面が押さえ板７１の上面に当接するようにしてある。本実施形態の規制突起２４は、取付ベース２の下面の中央部を囲むように取付ベース２の下面における中心を中心とする仮想円周上に複数個（図４では４個）配置されており、規制突起２４の下端面を押さえ板７１における挿通孔７２の周部に当接させるようにしてある。本実施形態では、２個の規制突起２４は円柱状に形成されており、他の２個の規制突起２４は前記仮想円周状に沿って延長されることにより円弧の一部となる形状（図４参照）に形成されている。
【００２７】
本実施形態の照明器具１では、カバー７の押さえ板７１の上面に規制突起２４の下端面が当接することによって押さえ板７１の上方への移動が阻止されているから、押さえ板７１が下方から押し上げられてもカバー７に撓みが生じることはない。したがって、ホルダ４を締付けていくとセード５の保持板５１と規制突起２４との間にカバー７の押さえ板７１が挟持された状態でセード５が固定されることになり、この状態ではホルダ４をさらに締付けようとしてもカバー７が撓まないからセード５が上方に移動することがなく、結果的に、セード５が固定された状態においてホルダ４の締付けが規制される。
【００２８】
さらに、従来はカバー７に撓みが生じ難いようにするために、一般に、剛性を有する金属材料からカバー７を形成していたのに対して、本実施形態では規制突起２４によってカバー７の撓みを防止しておりカバー７自体は可撓性を有するものであってもよいので、本実施形態の構成を採用すればたとえば合成樹脂材料からカバー７を形成することも可能になる。
【００２９】
また、カバー７の押さえ板７２における挿通孔７２の周縁には全周に亘ってソケット３の長手方向に沿って上方に延長されたガイドリブ７４が形成されている。このガイドリブ７４を、規制突起２４に囲まれた領域に挿入するようにしてカバー７を取付ベース２に取り付けると、取付ベース２に対するカバー７の位置合わせが容易になる。さらに、本実施形態では、図２に示すように、規制突起２４の下端部において上方に向かってガイドリブ７４との距離を縮めるガイド面２５が、天井面に直交し取付ベース２の下面の中心を通る断面が円弧の一部になる曲面状に形成されており、ガイドリブ７４と規制突起２４との先端部同士が突き合わされても、カバー７を上方に押し上げるだけでガイドリブ７４を規制突起２４に囲まれた領域に案内するようにし、ガイドリブ７４を規制突起２４に囲まれた領域に挿入し易くしている。ガイドリブ７４の先端部においては、下方に向かって規制突起２４との距離を縮める傾斜面が形成されている。
【００３０】
なお、規制突起２４は取付ベース２に形成されているので、規制突起２４を突設してもヒケが生じて照明器具１の外観を損なうことはない。
【００３１】
（実施形態２）
天井面に取り付けられる照明器具１には、図３に示すように、取付ベース２における天井面との対向面に、端子台８が取付ねじ（図示せず）によって取り付けられたものがある。本実施形態の照明器具１は、実施形態１の構成に加えて、この取付ねじが螺合する円筒状の下穴ボス２６を、規制突起として利用している点に特徴がある。
【００３２】
下穴ボス２６は取付ベース２における天井面との対向面に開口する取付穴２７を有しており、取付ねじを上方から取付穴２７に挿入できるようにしてある。さらに、下穴ボス２６は、取付ベース２の下面においてカバー７の押さえ板７１との対向部位から下方にソケット３の長手方向に沿って突出し、突出寸法が取付ベース２の下面と押さえ板７１の上面との間の寸法と等しく形成されることによって、規制突起２４と同様に取付ベース２にカバー７を取り付けた状態で下端面が押さえ板７１の上面に当接するようにしてある。
【００３３】
本実施形態では、図４に示すように、取付ベース２に２個の端子台８が取り付けられており、それぞれの端子台８を１本の取付ねじで固定しているので、図示するように、下穴ボス２６は２個形成されている。各下穴ボス２６はそれぞれ、他の円柱状の規制突起２４に近接し規制突起２４が配置された仮想円周上から外方にずれた位置に配置されている。ここで下穴ボス２６は、隣接する規制突起２４との間に、ランプ６に電気的に接続される電線６０を挟持可能な隙間を有するように配置されており、本実施形態では、その隙間を２．６ｍｍに設定してある。
【００３４】
たとえば外径が２．８ｍｍの電線をランプ６に電気的に接続される電線６０として用いれば、下穴ボス２６と隣接する規制突起２４との間に電線６０を挿通することによって、下穴ボス２６と規制突起２４とで電線６０を挟持することができる。さらに、本実施形態では、図４に示すように、電線６０を取付ベース２の下方から上方に引き出すために取付ベース２に貫設された引出孔２８とソケット３との間において、電線６０を挟持する下穴ボス２６および規制突起２４が、引出孔２８とソケット３とを結ぶ仮想直線上からずれた位置で当該仮想直線に沿って並設されている。ここで、ソケット３の上端部から引き出された電線６０を、下穴ボス２６と規制突起２４との隙間を通るように規制突起２４に沿ってＵ字状に引き回してから引出孔２８を通すようにすれば、下穴ボス２６と規制突起２４とは単に電線６０を挟持するだけでなく電線６０の張力止めとして機能する。
【００３５】
なお、図に示す下穴ボス２６は下端部に底板を有する有底の円筒状に形成されているが、底板はなくてもよく、その場合には取付穴２７が上下方向に貫通することになる。その他の構成および機能は実施形態１と同様である。
【図面の簡単な説明】
【００３６】
【図１】本発明の実施形態１を示す断面図である。
【図２】同上の要部を示す断面図である。
【図３】本発明の実施形態２の要部を示す断面図である。
【図４】同上のホルダとセードとカバーとを外した状態を示す下面図である。
【図５】従来例を示す断面図である。
【符号の説明】
【００３７】
１  照明器具
２  取付ベース
３  ソケット（セード保持部）
４  ホルダ
５  セード
６  ランプ
７  カバー
８  端子台
２４  規制突起
２５  ガイド面
２６  下穴ボス
３０  ねじ溝
５２  開口孔
６０  電線
７１  押さえ板
７２  挿通孔
７４  ガイドリブ
【図１】
2005243310.tif 000003
【図２】
2005243310.tif 000004
【図３】
2005243310.tif 000005
【図４】
2005243310.tif 000006
【図５】
2005243310.tif 000007